(57)【要約】【課題】薄形化できる配線器具を提供する。【解決手段】ベース21とカバーとを備える。カバーには、ベース21側へ突出する電池16を取り付け、電池16より外径側の円周上に複数の取付片を設ける。ベース21には、取付片が当接してベース21のねじ49の頭部49aとカバーの電池16とが干渉しない高さ位置でベース21とカバーとの嵌合を規制するとともに当接状態で周方向への摺動を許容する規制部59を設ける。規制部59には、ベース21のねじ49の頭部49aとカバーの電池16が干渉しない位置で取付片が入り込みベース21とカバーとが嵌合するのを許容する複数の溝部60を設ける。各溝部60の周方向一側には、溝部60に入り込んだ取付片が係合する係合部61を設ける。【選択図】図１
2010224965.tif 000002
【特許請求の範囲】
【請求項１】
中心から外れた円周上の位置を挿通するねじによって被設置部に設置されるベースと；
ベースに中心を合わせて嵌合され、ベースのねじの位置に対応した円周上の一部にベース側へ突出する突出部を有するカバーと；
ベースおよびカバーのいずれか一方でカバーの突出部より外径側の円周上に設けられた複数の取付片と；
ベースおよびカバーのいずれか他方で取付片の位置に対応した円周上に、取付片が当接してベースのねじとカバーの突出部とが干渉しない高さ位置でベースとカバーとの嵌合を規制するとともに当接状態で周方向への摺動を許容する規制部と、ベースのねじとカバーの突出部とが干渉しない位置で取付片が入り込みベースとカバーとが嵌合するのを許容する複数の溝部と、各溝部の周方向一側に設けられ溝部に入り込んだ取付片が係合して取り付けられる複数の係合部とが設けられた取付ガイドと；
を具備していることを特徴とする配線器具。
【請求項２】
取付ガイドは、溝部の周方向他側に規制部と溝部の底面とに連続する傾斜面が設けられている
ことを特徴とする請求項１記載の配線器具。
【発明の詳細な説明】
【技術分野】
【０００１】
本発明は、被設置部にねじで設置されるベースとこのベースに嵌合して取り付けられるカバーとを備えた配線器具に関する。
【背景技術】
【０００２】
従来、例えば住宅用火災警報器などの配線器具では、ベースとこのベースに着脱可能に取り付けられるカバーとで構成されるケースを備え、このケースのカバー内に感知器本体などの電気機器が収納されている。
【０００３】
このような配線器具を天井面などに設置する場合には、ベースをねじで天井面に固定し、このベースにカバーを取り付けている。
【０００４】
これらベースとカバーとの取付構造としては、ベースの周面部の内面から複数の取付片を突設し、このベースの周辺部の内側に嵌合するカバーの縁部に取付片が入り込む溝部を設けるとともに、この溝部の周方向一側に取付片が係合して取り付けられる係合部を設けた取付構造がある。この取付構造では、ベースの取付片とカバーの溝部とが一致するようにこれらを嵌合し、取付片が溝部内に入り込んでベースとカバーとが嵌合した状態で、カバーを回動させて取付片を係合部に係合させて取り付けている（例えば、特許文献１参照。）。
【先行技術文献】
【特許文献】
【０００５】
【特許文献１】特開平６−３３３１８１号公報（第４−５頁、図４）
【発明の概要】
【発明が解決しようとする課題】
【０００６】
ところで、このような配線器具を薄形化しようとした場合、ベースとカバーとを組み合わせた状態で、カバー内に収容される電気部品をベースの内面に近付けたレイアウトとする必要がある。
【０００７】
しかしながら、ベースの内面にはこのベースを天井面に取り付けるためのねじの頭部が突出しているため、ベースに対してカバーを回動させて取り付ける取付構造では、カバー側から突出する電気部品が、ベースのねじの頭部に干渉し、ベースにカバーを取り付けるのが困難になり、配線器具の十分な薄形化が図れない問題がある。
【０００８】
本発明は、このような点に鑑みなされたもので、薄形化できる配線器具を提供することを目的とする。
【課題を解決するための手段】
【０００９】
請求項１記載の配線器具は、中心から外れた円周上の位置を挿通するねじによって被設置部に設置されるベースと；ベースに中心を合わせて嵌合され、ベースのねじの位置に対応した円周上の一部にベース側へ突出する突出部を有するカバーと；ベースおよびカバーのいずれか一方でカバーの突出部より外径側の円周上に設けられた複数の取付片と；ベースおよびカバーのいずれか他方で取付片の位置に対応した円周上に、取付片が当接してベースのねじとカバーの突出部とが干渉しない高さ位置でベースとカバーとの嵌合を規制するとともに当接状態で周方向への摺動を許容する規制部と、ベースのねじとカバーの突出部とが干渉しない位置で取付片が入り込みベースとカバーとが嵌合するのを許容する複数の溝部と、各溝部の周方向一側に設けられ溝部に入り込んだ取付片が係合して取り付けられる複数の係合部とが設けられた取付ガイドと；を具備しているものである。
【００１０】
配線器具は、例えば住宅用火災警報器などがあるが、これに限られるものではない。配線器具を設置する被設置部としては、天井面や壁面などが含まれる。
【００１１】
ベースおよびカバーは、例えば、それぞれ円盤形で、それらの周壁部に互いに嵌合する嵌合部などを設けていてもよい。カバーの突出部は、例えば、配線器具が備える電池、端子台などの電気部品やカバーの一部などが含まれる。
【００１２】
取付片および取付ガイドの嵌合部は、例えば、互いに引っ掛かって係合するように略Ｌ字形に設けるなど、どのような構成でもよく、また、ベースおよびカバーの円周上の少なくとも２箇所に設ければよいが、３箇所以上に設けてもよい。ベースおよびカバーの周壁部に互いに嵌合する嵌合部を設けている場合には、その嵌合部に取付片が当接することでベースとカバーとの中心位置を位置決めできるようにしてもよい。
【００１３】
請求項２記載の配線器具は、請求項１記載の配線器具において、取付ガイドは、溝部の周方向他側に規制部と溝部の底面とに連続する傾斜面が設けられているものである。
【発明の効果】
【００１４】
請求項１記載の配線器具によれば、ベースにカバーを嵌合して取り付ける際、取付片が取付ガイドの規制部に当接する位置で嵌合しようとすれば、それら取付片と規制部との当接により、ベースのねじとカバーの突出部とが干渉しない高さ位置でベースとカバーとの嵌合を規制するため、その当接状態のまま取付片を溝部に入り込む位置に回動させることができ、さらに、取付片が溝部に入り込む位置はベースのねじとカバーの突出部とが干渉しない位置であるため、取付片が溝部に入り込む位置に回動すれば、ベースとカバーとが嵌合し、取付片が溝部の周方向一側の係合部に係合して取り付けることができ、したがって、カバーの突出部をベースに近付けて取り付ける構造としてもベースとカバーとを確実に取り付けることができ、配線器具を薄形化できる。
【００１５】
請求項２記載の配線器具によれば、請求項１記載の配線器具の効果に加えて、規制部と溝部の底面とに連続する傾斜面を設けているため、規制部に当接する取付片が傾斜面を通じて溝部に入り込むとともにそのまま係合部に係合して取り付けることができ、取付片が溝部に入り込んだだけで取り付けたものと勘違いしにくく、ベースにカバーを確実に取り付けることができる。
【図面の簡単な説明】
【００１６】
【図１】本発明の一実施の形態を示す配線器具のベースの正面図である。
【図２】同上配線器具のカバーの正面図である。
【図３】同上配線器具のベースとカバーとの嵌合前状態の断面図である。
【図４】同上配線器具のベースとカバーとの嵌合状態の断面図である。
【図５】同上配線器具の取付片および取付ガイドの斜視図である。
【図６】同上配線器具の取付片および取付ガイドを示し、(a)は取付片と取付ガイドの係合部との係合前状態の断面図、(b)は取付片と取付ガイドの係合部との係合状態の断面図である。
【発明を実施するための形態】
【００１７】
以下、本発明の一実施の形態を、図面を参照して説明する。
【００１８】
図１ないし図４に示すように、配線器具11は、例えば住宅用火災警報器であり、円盤状のケース12とこのケース12内に配置される配線器具本体としての警報器本体13とを備えている。
【００１９】
警報器本体13は、例えば、電気部品としてのリチウムイオン電池などの円筒状の電池16を電源として動作する電池式であり、図示しないが、煙センサや熱線センサなど感知器、警報を発するスピーカなどの警報音発生器、警報停止用のスイッチなどが基板17に搭載されている。
【００２０】
また、ケース12は、天井面や壁面などの被設置部に設置されるベース21と、このベース21に対して回動させて着脱可能に取り付けるカバー22とを備え、カバー22内に警報器本体13が収納されている。
【００２１】
カバー22は、ベース取付面側である裏面側が開口するカバー本体25と、このカバー本体25の裏面側の開口内に取り付けられた中底体26とを備えている。
【００２２】
カバー本体25は、絶縁性を有する合成樹脂材料によって円盤状に形成され、正面のカバー部27、およびこのカバー部27の周辺部に設けられた周壁部28を有している。カバー部27の中央には煙検知用の複数の通気孔29を有する突出部30が形成され、カバー部27の周辺部には警報音通過用の複数のスリット31が形成されているとともに警報停止用の操作ボタン32が配置されている。操作ボタン32は、壁面設置時のカバー22の正面から見て下部側に位置するように配置されている。また、周壁部28には、ベース21に嵌合するカバー側嵌合部33が形成されている。このカバー側嵌合部33は、周壁部28の外周部から突出する嵌合縁34、この嵌合縁34の内周部に形成される嵌合溝35を有している。
【００２３】
中底体26には、カバー本体25の裏面側にカバー側嵌合部33の位置より内側に取り付けられた中底部36を有し、この中底部36に電池16を保持する電池保持部37が形成されている。電池保持部37は、中底部36の裏面側に開口し、電池16を着脱可能とするとともに、装着状態で電池16を保持する保持片38を有している。電池保持部37に保持された電池16は、壁面設置時のカバー22の正面から見て上部側で、電池16の軸方向が水平に位置するように配置されている。
【００２４】
中底部36の周辺部の複数箇所であって周方向に等間隔となる４箇所には、カバー本体25の裏面側へカバー側嵌合部33よりも突出する取付片39が突設されている。図５および図６(a)(b)に示すように、これら取付片39は、中底部36の周辺部に沿って中底部36から突出する外側片部40、中底部36の径方向に沿って中底部36から突出する支え片部41、これら片部40，41の先端に中底部36の裏面側と対向するように設けられた取付片部42を有している。支え片部41は、外側片部40に対して、カバー22をベース21に回動させて取り付ける取付回動方向（カバー22の正面から見て時計回り方向）に対して反対側に設けられている。
【００２５】
図３および図４に示すように、カバー22の裏面からは、複数の取付片39とともに、電池保持部37に保持された電池16が突出されており、カバー22の正面から見て電池16の両端中央部がカバー22の裏面から最も外径側に突出するカバー22側の突出部43となっている。図１には、ベース21に対して、電池16の両端中央部つまりカバー22側の突出部43の回転軌跡を１点鎖線にて示す。このカバー22側の突出部43の回転軌跡よりも外径側に各取付片39が位置している。
【００２６】
また、図１に示すように、ベース21は、絶縁性を有する合成樹脂材料によって円盤状に形成され、平円板状のベース板46、およびこのベース板46の周辺部に設けられた周壁部47を備えている。
【００２７】
ベース板46には、中心には警報器本体13にＡＣ電源線を接続する場合に取り除かれるノックアウト48が形成され、周辺部近傍の円周上には被設置部に取り付けるねじ49のねじ軸部が挿通する複数の取付孔50が形成されている。これら取付孔50は、壁面設置時のベース21の正面から見て上下左右位置で周方向に等間隔となる４箇所にそれぞれ配置され、左右の取付孔50が天井面取付用、上下の取付孔50が壁面取付用として使用される。上側の取付孔50は、壁面に予め仮止め状態にねじ込んだねじ49に引っ掛けて取り付けられるようにだるま孔51に形成されている。これら取付孔50およびこれら取付孔50を挿通するねじ49の頭部49aの位置は、図１に１点鎖線にて示すように、カバー22側の突出部43の回転軌跡と干渉する位置にある。
【００２８】
周壁部47には、カバー22のカバー側嵌合部33と嵌合するベース側嵌合部53が形成されている。このベース側嵌合部53は、周壁部47の内周部から突出する嵌合縁54、この嵌合縁54の外周部に形成される嵌合溝55を有している。
【００２９】
周壁部47の内周部には、カバー22を取り付けるための取付ガイド57が形成されている。図１、図３ないし図５に示すように、取付ガイド57には、カバー22の各取付片39の外周部が係合する周壁部47の内周面で構成された位置決めガイド部58、この位置決めガイド部58の内側に係合したカバー22の各取付片39の先端部が当接してベース21側のねじ49の頭部49aとカバー22側の突出部43とが干渉しない高さ位置でベース側嵌合部53とカバー側嵌合部33との嵌合を規制するとともに当接状態で周方向への摺動を許容する規制部59が、それぞれ周方向に沿って形成されている。
【００３０】
規制部59には、ベース21のねじ49の頭部49aとカバー22側の突出部43とが干渉しない位置で各取付片39が入り込みベース側嵌合部53とカバー側嵌合部33とが嵌合するのを許容する複数の溝部60が形成されている。各溝部60は、周方向に隣り合う取付孔50の間で、カバー22の各取付片39の位置に対応して、周方向に等間隔となる４箇所に位置されている。
【００３１】
カバー22の取付回動方向に対応した各溝部60の周方向一側には各溝部60に入り込んだ各取付片39が係合して取り付けられる係合部61が形成され、各溝部60の周方向他側には規制部59と各溝部60の底面つまりベース板46の裏面とに連続する傾斜面62が形成されている。
【００３２】
係合部61は、ベース板46から突設されており、周壁部47の内壁面との間に取付片39の外側片部40が入り込む係合溝部63が形成されているとともに、ベース板46との間に取付片39の取付片部42が入り込む係合溝部64が形成されている。
【００３３】
規制部59の位置にはだるま孔51の小径孔部が位置し、そのだるま孔51の小径孔部を挿通するねじ49の頭部49aと干渉しないように切欠部65が形成されている。この切欠部65の周方向の幅ａより、カバー22の取付片39の周方向の幅ｂが広い関係にある。
【００３４】
そうして、このように構成された配線器具11を天井面に設置する場合には、ベース21の天井取付用の取付孔50を通じてねじ49を天井面に螺着し、ベース21を天井面に取り付ける。
【００３５】
カバー22をベース21に嵌合するようにして、カバー22の各取付片39をベース21の周壁部47の内側つまり位置決めガイド部58の内側に係合する。これにより、カバー22の中心とベース21の中心とが一致するように位置決めされる。なお、配線器具11を天井面に設置する場合には、カバー22をベース21に対してどのような向きで嵌合するようにしても構わない。
【００３６】
図３および図６(a)に示すように、カバー22をベース21に嵌合しようとする際、カバー22の各取付片39がベース21の規制部59に当接する位置で嵌合しようとすれば、それら各取付片39と規制部59との当接により、カバー22の電池16がベース21のねじ49の頭部49aに干渉しない高さ位置でカバー22がベース21に嵌合するのを規制する。
【００３７】
その各取付片39と規制部59との当接状態のまま、カバー22を取付回動方向へ回動させることにより、各取付片39が各傾斜面62を通じて各溝部60に入り込む。このとき、規制部59の一部に切欠部65が設けられているが、切欠部65の周方向の幅ａより、カバー22の取付片39の周方向の幅ｂが広い関係にあるため、取付片39は切欠部65に入り込むことなく通過し、カバー22の回動が支障なく行われる。
【００３８】
各取付片39が各溝部60に入り込む位置は、カバー22の電池16がベース21のねじ49の頭部49aに干渉しない位置であるため、図４に示すように、各取付片39が各溝部60に入り込めば、カバー22の電池16がベース21に接近または当接し、カバー22のカバー側嵌合部33がベース21のベース側嵌合部53に嵌合する。
【００３９】
さらに、図４および図６(b)に示すように、各溝部60に入り込んだ各取付片39が各係合部61に係合し、カバー22をベース21に取り付けることができる。
【００４０】
このように、ベース21にカバー22を嵌合して取り付ける際、各取付片39が取付ガイド57の規制部59に当接する位置で嵌合しようとすれば、それら各取付片39と規制部59との当接により、ベース21のねじ49の頭部49aとカバー22の電池16とが干渉しない高さ位置でベース21とカバー22との嵌合を規制するため、その当接状態のまま各取付片39を各溝部60に入り込む位置に回動させることができ、さらに、各取付片39が各溝部60に入り込む位置はベース21のねじ49の頭部49aとカバー22の電池16とが干渉しない位置であるため、各取付片39が各溝部60に入り込む位置に回動すれば、ベース21とカバー22とが嵌合し、各取付片39が溝部60の周方向一側の係合部61に係合して取り付けることができ、したがって、カバー22の電池16をベース21に近付けて取り付ける構造としてもベース21とカバー22とを確実に取り付けることができ、配線器具11を薄形化できる。
【００４１】
規制部59と各溝部60の底面とに連続する傾斜面62を設けているため、規制部59に当接する各取付片39が傾斜面62を通じて各溝部60に入り込むとともにそのまま係合部61に係合して取り付けることができ、各取付片39が溝部60に入り込んだだけで取り付けたものと勘違いしにくく、ベース21にカバー22を確実に取り付けることができる。
【００４２】
取付片39は、ベース21の切欠部65の周方向の幅ａより、取付片39の周方向の幅ｂが広い関係にあるため、取付片39は切欠部65に入り込むことなく通過し、カバー22の回動が支障なく行われるとともに、ベース21の嵌合部61に引っ掛かる取付片部42を外側片部40に加えて支え片部41で支えるため、取付片39の剛性が高く、取付片39が係合部61に係合した状態を確実に維持できる。
【００４３】
また、配線器具11を壁面に設置する場合には、１つのねじ49を壁面に仮止め状態にねじ込み、このねじ49の頭部49aにベース21の上側の壁面取付用の取付孔50であるだるま孔51を通して、そのだるま孔51の小径孔部をねじ49のねじ軸部に引っ掛け、下側の壁面取付用の取付孔50を通じて壁面にねじ49を螺着し、だるま孔51側のねじ49を締め付け、ベース21を壁面に取り付ける。
【００４４】
その後、上述した天井設置の場合と同様に、壁面に取り付けたベース21に対してカバー22を嵌合して取り付ける。なお、配線器具11を壁面に設置する場合には、カバー22の操作ボタン32が下側となるように、ベース21に対してカバー22の向きを調整して嵌合する。
【００４５】
また、天井設置および壁面設置とも、カバー22をベース21から取り外す場合には、カバー22を取外し回動方向（カバー22の正面から見て反時計回り方向）へ回動させることにより、カバー22の各取付片39がベース21の各係合部61から外れて各溝部60に移動するとともに各傾斜面62を通じて規制部59上に乗り上げ、自動的にカバー22のカバー側嵌合部33がベース21のベース側嵌合部53から外れ、カバー22をベース21から外すことができる。
【００４６】
このとき、各取付片39が規制部59上に乗り上げるため、カバー22の正面から見てカバー22の電池16がベース21のねじ49の頭部49aに重なる位置に回動しても、カバー22の電池16がベース21のねじ49の頭部49aに干渉することはない。
【符号の説明】
【００４７】
11    配線器具
21    ベース
22    カバー
39    取付片
43    突出部
49    ねじ
57    取付ガイド
59    規制部
60    溝部
61    係合部
62    傾斜面
【図１】
2010224965.tif 000003
【図２】
2010224965.tif 000004
【図３】
2010224965.tif 000005
【図４】
2010224965.tif 000006
【図５】
2010224965.tif 000007
【図６】
2010224965.tif 000008